(57)【特許請求の範囲】
【請求項１】
車輪（２）と、この車輪（２）を軸支する本体（３）と、この本体（３）を垂直に貫通して軸周りに相対回転自在に取り付けられ本体（３）の上方へ取付用ねじ部（９）を突出させると共に本体（３）の下方へ回転操作用の工具係合部（１９）を突出させる主軸（４）とを備え、取付用ねじ部（９）を被取付体へねじ込む際に、本体（３）の下方において工具係合部（１９）に工具を掛けて回転操作可能としたキャスターにおいて、
前記本体（３）は、ベアリング（５）、（９）を介して前記主軸（３）を貫通させる上板部（７）と、この上板部（７）から互いに対向して下方へ延出し両者間に前記車輪（２）を支持する一対の脚部（８）とを具備し、
前記主軸（３）は、上板部（７）の上方へ突出した前記取付用ねじ部（９）の下部に設けられた鍔部（１０）と、上板部（７）の下方へ突出した締付用ねじ部（１４）と、この締め付け用ねじ部（１４）の下部に設けられた工具係合部としての角頭部（１９）とを具備し、
前記締付用ねじ部（１４）に螺合された締付ナット（１６）と前記鍔部（１０）との間で前記上板部（７）を上下に締め付けるように構成され、
前記角頭部（１９）は、前記締め付け用ねじ部（１４）の下部にカシメ結合されていることを特徴とするキャスター。
【発明の詳細な説明】
【０００１】
【発明の属する技術分野】
この発明は、主軸の上部に設けられたねじ部を取付対象のねじ孔やナットへ螺合することによって固定する形式のキャスターに関するものである。
【０００２】
【従来の技術】
従来、主軸の上部に設けられたねじ部を取付対象のねじ孔やナットへ螺合することによって固定する形式のキャスターにおいては、車輪を支持する本体の上板の直上に工具を掛けるための扁平な六角部が設けられている。このキャスターを取付対象の下部へ取り付けるに当たっては、専用の扁平なレンチを六角部へ掛けて主軸を回し、ねじ部を取付対象のねじ孔へ螺合する。主軸の六角部は、本体の上板の上面と取付対象の下面との間に挟まれた狭い空間に位置するので、作業空間が制限されることと、レンチが扁平で操作が容易でないこと等により、キャスターの取付作業に困難を伴う難点がある。
【０００３】
【発明が解決しようとする課題】
従って、この発明は、主軸の上部に設けられたねじ部を取付対象のねじ孔やナットへ螺合することによって固定する形式のキャスターであって、取付対象への装着作業が容易なものを提供することを目的としている。
【０００４】
【課題を解決するための手段】
上記課題を解決するためのこの発明に係るキャスターは、主軸４を本体３から下方へ突出させ、その下端部に、回転操作用の工具係合部１９を有する。本体３は、ベアリング５，９を介して前記主軸３を貫通させる上板部７と、この上板部７から互いに対向して下方へ延出し両者間に前記車輪２を支持する一対の脚部８とを具備する。主軸３は、上板部７の上方へ突出した取付用ねじ部９の下部に設けられた鍔部１０と、上板部）の下方へ突出した締付用ねじ部１４と、この締め付け用ねじ部１４の下部に設けられた工具係合部としての角頭部１９とを具備する。締付用ねじ部１４に螺合された締付ナット１６と鍔部１０との間で上板部７を上下に締め付ける。角頭部１９は、締め付け用ねじ部１４の下部にカシメ結合される。主軸４の上部の取付用ねじ部９を取付対象２１へねじ込む際に、本体３の下方の比較的自由度の大きい作業空間において、工具係合部１９に工具を掛けて回転操作を行えるようにした。作業空間が大きいので、専用工具でなく、一般工具を用いて、迅速に締め付け作業を完了することができる。
【０００５】
【発明の実施の形態】
図面を参照して本発明の実施の形態を説明する。図１はキャスターの断面図、図２はキャスターの正面図、図３は他の実施形態のキャスターの断面図、図４はさらに他の実施形態のキャスターの断面図である。
【０００６】
図１，図２において、キャスター１は、車輪２と、この車輪２を軸支する本体３と、この本体３を垂直に貫通する主軸４とを具備する。
【０００７】
本体３は、ベアリング５，６を介して主軸４を貫通させる上板部７と、この上板部７から互いに対向して下方へ延出し両者間に車輪２を支持する一対の脚部８とを具備する。上板部７は、垂直方向の軸孔７ａを有する。軸孔７ａの中間部には、内周フランジ７ｂが形成されている。
【０００８】
主軸４は、本体３に対して軸周りに相対回転自在に軸孔７ａに支持されている。主軸４は、上部から順次、取付用ねじ部９、鍔１０、大径部１１、段部１２、小径部１３、締付ねじ部１４を有し、下端には軸方向の六角穴１５が形成されている。
【０００９】
軸孔７ａの内周フランジ７ｂ上にボールベアリング５が配置されると共に、内周フランジ７ｂの下にローラベアリング６が配置される。主軸４は、鍔１０をボールベアリング５の上に載せ、段部１２をローラベアリング６の内輪の上面に載せるように軸孔７ａ内に挿入され、締付ねじ部１４に螺合された締付ナット１６の上端をローラベアリング６の内輪の下面に当接させることによって上板部７に取り付けられている。従って、上板部７の上方に取付用ねじ部９が突出し、上板部７の下方へ締付ねじ部１４が突出し、その下端部に、工具係合部としての六角穴１５が配置される。ベアリングカバー１７は、締付ナット１６と上板部７の下面との間に支持される。
【００１０】
しかして、この実施形態のキャスター１を取付対象２１の下部へ取り付ける場合には、図示しない六角レンチを主軸４の六角穴１５に掛けて主軸４を回転させ、取付ねじ部９を取付対象のねじ孔へねじ込む。工具係合部としての六角穴１５が、主軸１４の下端側の開放した空間に配置されるので、工具としての六角レンチの形状が大きく制限されることがなく、作業空間も広く確保できる。このため、取付対象２１へのキャスター１の取付作業が容易に行える。
【００１１】
図３に示す第２の実施形態は、上記第１の実施形態とほぼ同等の構成を有する。従って、図３において、第１の実施形態と同等の構成部に同一の符号を付して説明を省略する。この実施形態では、上板部７の下方へ突出した主軸４の下端部に、工具係合部としての六角頭部１８が配置される。
【００１２】
この実施形態のキャスター１を取付対象２１の下部へ取り付ける場合には、図示しないスパナを主軸４の六角頭部１８に掛けて主軸を回転させ、取付ねじ部９を取付対象のねじ孔へねじ込む。工具係合部としての六角頭部１８が、主軸１４の下端側の開放した空間に配置されるので、工具としてのスパナの形状が大きく制限されることがなく、作業空間も広く確保できる。このため、取付対象２１へのキャスター１の取付作業が容易に行える。
【００１３】
図４に示す第３の実施形態は、上記第１、第２の実施形態とほぼ同等の構成を有する。従って、図４において、先の実施形態と同等の構成部に同一の符号を付して説明を省略する。この実施形態では、上板部７の下方へ突出した主軸４の下端部に、工具係合部としての六角頭部１９が配置される。この六角頭部１９は、主軸４の下端部にカシメ止めされている。
【００１４】
この実施形態のキャスター１も、先の実施形態と同様、取付対象２１へのキャスター１の取付作業が容易に行える。
【００１５】
【発明の効果】
以上のように、本発明においては、主軸４を本体３から下方へ突出させ、その下端部に、回転操作用の工具係合部１５，１８，１９を設けたため、主軸４の上部の取付用ねじ部９を取付対象２１へねじ込む際に、本体３の下方の比較的自由度の大きな作業空間において、工具係合部１５，１８，１９に工具を掛けて回転操作を行うことができ、広い作業空間で、一般工具を用いて、迅速に締め付け作業を完了することができるという効果を有する。
【図面の簡単な説明】
【図１】キャスターの断面図である。
【図２】キャスターの正面図である。
【図３】他の実施形態のキャスターの断面図である。
【図４】さらに他の実施形態のキャスターの断面図である。
【符号の説明】
１    キャスター
２    車輪
３    本体
４    主軸
５    ボールベアリング
６    ローラベアリング
７    上板
７ａ  軸孔
７ｂ  内周フランジ
８    脚部
９    取付ねじ部
１０  鍔部
１１  大径部
１２  段部
１３  小径部
１４  締付ねじ部
１５  六角穴（工具係合部）
１６  締付ナット
１７  ベアリングカバー
１８  六角頭部（工具係合部）
１９  六角頭部（工具係合部）
２１  取付対象
【図１】
0004153676.tif 000002
【図２】
0004153676.tif 000003
【図３】
0004153676.tif 000004
【図４】
0004153676.tif 000005